(57)【特許請求の範囲】
【請求項１】
監視装置から送られてくる停電発報を、Ａ／Ｄ変換器、信号処理器、発／受信器及びアンテナにより、無線基地局へ発信する無線端末において、
前記Ａ／Ｄ変換器、信号処理器及び発／受信器に直流電源を供給するためのＡＣ／ＤＣ変換器へ供給する交流電源の停電を検出する停電検出手段と、
前記停電検出手段の停電検出に基づき前記監視装置へ供給する交流電源を断つ電源供給断手段と
を備えたことを特徴とする無線端末。
【請求項２】
前記信号処理器は、前記停電検出手段により停電を検出したときには、前記監視装置から送られてくる停電発報に自己が停電であることを示す障害識別情報を付加する
ことを特徴とする請求項１記載の無線端末。
【請求項３】
監視装置から送られてくる停電発報を、Ａ／Ｄ変換器、信号処理器、発／受信器及びアンテナにより、無線基地局へ発信する無線端末において、
前記信号処理器の障害検出に基づき、前記Ａ／Ｄ変換器、信号処理器及び発／受信器に直流電源を供給するためのＡＣ／ＤＣ変換器へ供給する交流電源を断つ第１の電源供給断手段と、
前記ＡＣ／ＤＣ変換器へ供給する交流電源の停電を検出する停電検出手段と、
前記停電検出手段の停電検出に基づき前記監視装置へ供給する交流電源を断つ第２の電源供給断手段と
を備えたことを特徴とする無線端末。
【請求項４】
前記信号処理器は、自己の停電以外の障害を検出したときには、前記監視装置から送られてくる停電発報に自己の停電以外の障害が発生したことを示す障害識別情報を付加する
ことを特徴とする請求項３記載の無線端末。
【発明の詳細な説明】
【０００１】
【発明の属する技術分野】
この発明は、エレベーター等の監視設備を遠隔監視するシステムに使用されるＰＨＳ（Ｐersonal Ｈandy phone Ｓystem：簡易型携帯電話）アダプタなどの無線端末に関するものである。
【０００２】
【従来の技術】
従来の無線端末について図面を参照しながら説明する。図３は、従来のＰＨＳアダプタを含む遠隔監視システムの構成を示す図である。
【０００３】
図３において、１はエレベーター等の監視設備、２はエレベーター監視装置（ＭＯＰ）、３はＰＨＳアダプタ、４はＰＨＳ子機、５はアンテナ等を含み電柱に取付けられたＰＨＳ基地局、６は通常の有線の電話回線、７はエレベーター等の監視設備１の保守点検などを請け負っている保守会社の情報センターである。
【０００４】
また、同図において、エレベーター監視装置２とＰＨＳアダプタ３の間は有線の電話回線で接続され、ＰＨＳ子機４とＰＨＳ基地局の間は無線のＰＨＳ網が介在している。
【０００５】
つぎに、前述した従来の遠隔監視システムの動作について図面を参照しながら説明する。なお、動作説明は本願発明に直接関係する箇所のみとし、その他は省略する。
【０００６】
エレベーター監視装置２は、一定時間毎に発報する定時発報以外に、各種の障害通知の一つとして停電発報を行う。
【０００７】
次に、ＰＨＳアダプタ３は、エレベーター監視装置２から有線の電話回線で送られてきたアナログ信号の停電発報を、ディジタル信号のＰＨＳ方式に置き換え、ＰＨＳ子機４から送信する。
【０００８】
情報センター７では、ＰＨＳ網、ＰＨＳ基地局５、有線の電話回線６を通じて送られてきた停電発報を受信し、特定のエレベーター等で停電が発生したことを認識する。
【０００９】
【発明が解決しようとする課題】
上述したような従来の無線端末（ＰＨＳアダプタ）では、自己（アダプタ自体）の停電などの障害をエレベーター監視装置へ通知する手段がないという問題点があった。
【００１０】
また、従来の無線端末は、単独で発報する機能を持たないという問題点があった。
【００１１】
この発明は、前述した問題点を解決するためになされたもので、エレベーター監視装置の改造を行うことなく自己の障害を外部へ通知することができ、そのための自己の改造については小規模で済む無線端末を得ることを目的とする。
【００１２】
【課題を解決するための手段】
この発明の請求項１に係る無線端末は、監視装置から送られてくる停電発報を、Ａ／Ｄ変換器、信号処理器、発／受信器及びアンテナにより、無線基地局へ発信する無線端末において、前記Ａ／Ｄ変換器、信号処理器及び発／受信器に直流電源を供給するためのＡＣ／ＤＣ変換器へ供給する交流電源の停電を検出する停電検出手段と、前記停電検出手段の停電検出に基づき前記監視装置へ供給する交流電源を断つ電源供給断手段とを備えたものである。
【００１３】
この発明の請求項２に係る無線端末は、前記信号処理器が、前記停電検出手段により停電を検出したときには、前記監視装置から送られてくる停電発報に自己が停電であることを示す障害識別情報を付加するものである。
【００１４】
この発明の請求項３に係る無線端末は、監視装置から送られてくる停電発報を、Ａ／Ｄ変換器、信号処理器、発／受信器及びアンテナにより、無線基地局へ発信する無線端末において、前記信号処理器の障害検出に基づき、前記Ａ／Ｄ変換器、信号処理器及び発／受信器に直流電源を供給するためのＡＣ／ＤＣ変換器へ供給する交流電源を断つ第１の電源供給断手段と、前記ＡＣ／ＤＣ変換器へ供給する交流電源の停電を検出する停電検出手段と、前記停電検出手段の停電検出に基づき前記監視装置へ供給する交流電源を断つ第２の電源供給断手段とを備えたものである。
【００１５】
この発明の請求項４に係る無線端末は、前記信号処理器が、自己の停電以外の障害を検出したときには、前記監視装置から送られてくる停電発報に自己の停電以外の障害が発生したことを示す障害識別情報を付加するものである。
【００１６】
【発明の実施の形態】
実施の形態１．
この発明の実施の形態１に係る無線端末について図面を参照しながら説明する。図１は、この発明の実施の形態１に係る無線端末の構成を示す回路図である。なお、各図中、同一符号は同一又は相当部分を示す。
【００１７】
図１において、２はエレベーター監視装置、２０は交流電源（ＡＣ）のコンセントへ差し込むためのプラグである。
【００１８】
また、同図において、３ＡはＰＨＳアダプタ（無線端末）、３０は交流電源（ＡＣ）のコンセントへ差し込むためのプラグ、３１はヒューズ、３２は無電圧等を検出する不足電圧継電器などの継電器（停電検出手段）、３３は継電器３２のｂ（ブレイク）接点（電源供給断手段、第２の電源供給断手段）、３４は交流電源（ＡＣ）を直流電源（ＤＣ）に変換するＡＣ／ＤＣ変換器、３５はバックアップ用のバッテリー、３６はアナログ信号をディジタル信号に変換するＡ／Ｄ変換器、３７はＣＰＵ等の信号処理器、３８はＰＨＳ周波数帯の発／受信器、３９は送受信用のアンテナである。
【００１９】
つぎに、この実施の形態１に係る無線端末の動作について図面を参照しながら説明する。
【００２０】
ＰＨＳアダプタ３Ａ内の継電器３２は、アダプタ単独の停電を検出すると、実際には、例えば３０分間停電が継続した時点で、ｂ接点３３をブレイクしてエレベーター監視装置２への交流電源の供給を断つ。
【００２１】
この停電には、例えば、電源入れ忘れ、ヒューズ切れなどがある。
【００２２】
エレベーター監視装置２は、プラグ２０を通じて供給される電源が断たれると、停電が発生したと認識して停電発報を行う。
【００２３】
次に、ＰＨＳアダプタ３Ａは、エレベーター監視装置２から有線の電話回線で送られてきたアナログ信号の停電発報を、Ａ／Ｄ変換器３６によりディジタル信号に変換する。
【００２４】
次に、信号処理器３７は、ディジタル信号の停電発報を所定のフォーマット変換等の処理を行ってＰＨＳ信号に置き換えるなどのＰＨＳインタフェース処理を行う。
【００２５】
発／受信器３８は、アンテナ３９を通じて停電発報をＰＨＳ網へ発信する。以後の動作は、従来と同様である。
【００２６】
つまり、情報センター７では、ＰＨＳ網、ＰＨＳ基地局５、有線の電話回線６を通じて送られてきた停電発報を受信し、ＰＨＳアダプタ３Ａで停電が発生したことを認識する。
【００２７】
実施の形態２．
この発明の実施の形態２に係る無線端末について図面を参照しながら説明する。この発明の実施の形態２に係る無線端末（ＰＨＳアダプタ３Ｂ）の構成は、図１に示す上記実施の形態１のものと略同様である。
【００２８】
上記実施の形態１では、情報センター７において、ＰＨＳアダプタ３Ａの停電による停電発報と、エレベーター監視装置２の停電による停電発報の区別ができないが、この実施の形態２では、停電発報に区別するための情報を付加するものである。
【００２９】
信号処理器３７Ｂは、継電器３２の接点出力を入力してＰＨＳアダプタ３Ｂに停電が発生しバックアップ用のバッテリー３５で駆動されていることを認識する。そして、その直後にエレベーター監視装置２から停電発報が送られてきたら、ＰＨＳアダプタ３Ｂの停電であることを示す障害識別情報をその停電発報に付加する。
【００３０】
情報センター７では、停電発報に付加された障害識別情報により、何に基づく停電発報であるかを認識することができる。
【００３１】
実施の形態３．
この発明の実施の形態３に係る無線端末について図面を参照しながら説明する。図２は、この発明の実施の形態３に係る無線端末の構成を示す回路図である。なお、各図中、同一符号は同一又は相当部分を示す。
【００３２】
図２において、３７ＣはＣＰＵ等の信号処理器、４０はヒューズ３１と継電器３２の一端の間に挿入されたｂ（ブレイク）接点（第１の電源供給断手段）である。
【００３３】
信号処理器３７Ｃは、ＰＨＳアダプタ３Ｃにおいて、上述した停電以外の障害、例えば、待ち受け基地局の変更などが発生したときには、接点出力によりｂ接点４０をブレイクしてＰＨＳアダプタ３Ｃへの交流電源の供給を強制的に断つ。
【００３４】
以後の動作は上記実施の形態１と同様で、ＰＨＳアダプタ３Ｃ内の継電器３２は、アダプタ単独の停電を検出すると、実際には、例えば３０分間停電が継続した時点で、ｂ接点３３をブレイクしてエレベーター監視装置２への交流電源の供給を断つ。
【００３５】
エレベーター監視装置２は、プラグ２０を通じて供給される電源が断たれると、停電が発生したと認識して停電発報を行う。
【００３６】
次に、ＰＨＳアダプタ３Ｃは、エレベーター監視装置２から有線の電話回線で送られてきたアナログ信号の停電発報を、Ａ／Ｄ変換器３６によりディジタル信号に変換する。
【００３７】
次に、信号処理器３７Ｃは、ディジタル信号の停電発報を所定のフォーマット変換等の処理を行ってＰＨＳ信号に置き換えるなどのＰＨＳインタフェース処理を行う。ここで、ＰＨＳアダプタ３Ｃの障害であることを示す障害識別情報をその停電発報に付加する。
【００３８】
発／受信器３８は、アンテナ３９を通じて停電発報をＰＨＳ網へ発信する。以後の動作は、従来と同様である。
【００３９】
つまり、情報センター７では、ＰＨＳ網、ＰＨＳ基地局５、有線の電話回線６を通じて送られてきた停電発報を受信し、付加された障害識別情報によりＰＨＳアダプタ３Ｃで障害が発生したことを認識する。
【００４０】
【発明の効果】
この発明の請求項１に係る無線端末は、以上説明したとおり、監視装置から送られてくる停電発報を、Ａ／Ｄ変換器、信号処理器、発／受信器及びアンテナにより、無線基地局へ発信する無線端末において、前記Ａ／Ｄ変換器、信号処理器及び発／受信器に直流電源を供給するためのＡＣ／ＤＣ変換器へ供給する交流電源の停電を検出する停電検出手段と、前記停電検出手段の停電検出に基づき前記監視装置へ供給する交流電源を断つ電源供給断手段とを備えたので、監視装置の改造を行うことなく自己の停電を外部へ通知することができるという効果を奏する。
【００４１】
この発明の請求項２に係る無線端末は、以上説明したとおり、前記信号処理器が、前記停電検出手段により停電を検出したときには、前記監視装置から送られてくる停電発報に自己が停電であることを示す障害識別情報を付加するので、停電発報の種類を区別することができるという効果を奏する。
【００４２】
この発明の請求項３に係る無線端末は、以上説明したとおり、監視装置から送られてくる停電発報を、Ａ／Ｄ変換器、信号処理器、発／受信器及びアンテナにより、無線基地局へ発信する無線端末において、前記信号処理器の障害検出に基づき、前記Ａ／Ｄ変換器、信号処理器及び発／受信器に直流電源を供給するためのＡＣ／ＤＣ変換器へ供給する交流電源を断つ第１の電源供給断手段と、前記ＡＣ／ＤＣ変換器へ供給する交流電源の停電を検出する停電検出手段と、前記停電検出手段の停電検出に基づき前記監視装置へ供給する交流電源を断つ第２の電源供給断手段とを備えたので、監視装置の改造を行うことなく自己の障害を外部へ通知することができるという効果を奏する。
【００４３】
この発明の請求項４に係る無線端末は、以上説明したとおり、前記信号処理器が、自己の停電以外の障害を検出したときには、前記監視装置から送られてくる停電発報に自己の停電以外の障害が発生したことを示す障害識別情報を付加するので、停電発報の種類を区別することができるという効果を奏する。
【図面の簡単な説明】
【図１】  この発明の実施の形態１に係る無線端末の構成を示す回路図である。
【図２】  この発明の実施の形態３に係る無線端末の構成を示す回路図である。
【図３】  従来の無線端末を含む遠隔監視システムの構成を示す図である。
【符号の説明】
２  エレベーター監視装置、３Ａ、３Ｂ、３Ｃ  ＰＨＳアダプタ、２０  プラグ、３０  プラグ、３１  ヒューズ、３２  継電器、３３  ｂ接点、３４  ＡＣ／ＤＣ変換器、３５  バッテリー、３６  Ａ／Ｄ変換器、３７、３７Ｂ，３７Ｃ信号処理器、３８  発／受信器、３９  アンテナ、４０  ｂ接点。
【図１】
0003732992.tif 000002
【図２】
0003732992.tif 000003
【図３】
0003732992.tif 000004